(57)【特許請求の範囲】
【請求項１】
事業所の出入口に設置された遮蔽手段と、
閉店時刻を記憶する記憶手段と、前記事業所内の在室者の有無を検出する在室者センサと、
前記遮蔽手段が全閉状態になったときに起動する第１の計時手段と、
前記遮蔽手段を開放させるために在室者が操作するスイッチと、
前記遮蔽手段が全閉状態になったときに前記スイッチの設置位置を表示する表示手段と、
前記第１の計時手段が計時中に前記スイッチが操作されると該遮蔽手段を開放させ、前記在室者センサが在室者を所定時間継続して検出しないときには、前記遮蔽手段の閉鎖動作を行わせる遮蔽手段制御器と、
を有することを特徴とする自動開閉装置。
【発明の詳細な説明】
【０００１】
【発明の属する技術分野】
本発明は、出入口に遮蔽手段が設置された銀行などの事業所の自動閉店装置に関し、特に閉店時に閉じ込められた客が退出できる自動閉店装置に関する。
【０００２】
【従来の技術及び発明が解決しようとする課題】
従来より定められた時刻において、店内の在室者の有無を検索して、在室者がいなければ閉店動作を行い、在室者がいれば閉店動作を停止させるものが提案され実施されている。
【０００３】
例えば、特公平１−５６２３６号によれば、閉鎖時刻から指定時刻までの間に在室者検索用センサの検知信号が消失しているときにはシャッタを閉鎖する。また、在室者検索用センサには、検知死角の存在の可能性があるので、在室者が居るにも拘らず、一旦シャッタが全閉することがある。そこでシャッタ全閉後の所定時間以内には、在室者が動くことを期待して、在室者検索用センサが検知すると、シャッタを開放させるものである。そして、所定時間終了時点、即ち、指定時刻になると、電源が遮断されシャッタがたとえ開放された状態であってもそのまま停止される。
【０００４】
つまり、これは指定時刻以降、シャッタが開放されていれば第三者が店舗内に何の規制もなく入室できることとなる。この場合、閉じ込められた客は安全に退出できるが、その後に第三者が自由に入室できる為、当該事業所の安全性が損なわれるという問題があった。
【０００５】
従って、本発明の目的は、閉店時に遮蔽手段が閉鎖完了した後の所定時間内に開放手段を操作することで遮蔽手段を開放し、閉じ込められた客が安全に退出できるとともに、その後に第三者が自由に入室できないように速やかな閉店制御が行える自動閉店装置の提供にある。
【０００６】
【問題を解決するための手段及び作用】
事業所の出入口に設置された遮蔽手段と、閉店時刻を記憶する記憶手段と、前記事業所内の在室者の有無を検出する在室者センサと、前記遮蔽手段が全閉状態になったときに起動する第１の計時手段と、前記遮蔽手段を開放させるために在室者が操作するスイッチと、前記遮蔽手段が全閉状態になったときに前記スイッチの設置位置を表示する表示手段と、前記第１の計時手段が計時中に前記スイッチが操作されると該遮蔽手段を開放させ、前記在室者センサが在室者を所定時間継続して検出しないときには、前記遮蔽手段の閉鎖動作を行わせる遮蔽手段制御器と、を有する。
【０００７】
【実施例】
以下に、添付図面を参照して本発明の一実施例を説明する。図１は、本発明の基本的構成を示す機能ブロック図である。図２は本発明に係る装置の閉店フローチャートである。１は店舗の出入口に設置し、店舗と外部とを区画する例えば、シャッタや扉等である遮蔽手段である。なお、遮蔽手段１が全開状態または全閉状態になったとき、図示しない検知器によって、全開信号または全閉信号が後述の制御手段４４に送出される。２は店舗内に設置され、店舗内の在室者の存在を検知する在室者センサであり、３は予備検索時刻や開・閉店時刻などを記憶する記憶手段であり、４は在室者センサの検知状況に応じて前記遮蔽手段の閉鎖、又は開放動作を行わせる遮蔽手段制御器であり、５は遮蔽手段制御器４が遮蔽手段１の異常を検出したとき異常信号を図示しない遠隔のコントロールセンターへ通報する為の通報手段である。６は遮蔽手段を開放する為の開放手段である。なお、開放手段６は、出入口の近くの視認し易い場所に設置するのが好ましい。また、記憶手段３及び通報手段５は、遮蔽手段制御器４に内蔵してもよい。
【０００８】
次に、図２を参照して、本発明に係る装置を店舗に設置した場合の閉店時における閉店動作を説明する。先ず、制御手段４４は記憶手段３から予備検索時刻を読みとり、当該予備検索時刻になったとき入出力部４２を介して在室者センサ２を駆動して在室者の予備検索を開始する（ステップ１）。
【０００９】
つまり、予備検索とは閉店動作に先だって、店舗内に客が残留しているか否かを検索するものである。制御手段４４は、予備検索で在室者を検知した場合は店舗内に客が残留している状態であると判断する。
【００１０】
次に、制御手段４４は、記憶手段から読み取った閉店時刻と現時刻が一致したとき（ステップ２）、予備検索で在室者センサ２が在室者を検知したか否かを判断し、予備検索で在室者を検知したときには、更に在室者センサ２で店舗内の在室者を検索する。そして、在室者センサ２が、検索タイマにより、例えば、Ｔ１時間継続して在室者を検知しないときには閉鎖信号出力部４１１を介して遮蔽手段１の閉鎖動作を開始させる（ステップ４、ステップ５、ステップ６）。そして、閉鎖動作の開始とともに閉鎖タイマ４３２を起動する（ステップ７）。
【００１１】
また、予備検索で閉鎖時刻までに在室者センサ２が在室者を検知しなかったときには、駆動制御手段４１である閉鎖信号出力部４１１を介して遮蔽手段１の閉鎖動作を行わせるとともに閉鎖タイマ４３２を起動させる（ステップ３、ステップ６、ステップ７）。
【００１２】
つまり、予備検索において在室者を検知しなかったときには閉店時刻になるとすぐに遮蔽手段１の閉鎖動作を開始し、予備検索において在室者を検知したときには、閉店時刻になっても在室者を検索し、例えば、Ｔ１時間継続して在室者センサ２が在室者を検知しないときに閉鎖信号出力部４１１を介して遮蔽手段１の閉鎖動作を開始させる。
【００１３】
また、遮蔽手段１が閉鎖途中で、再度客が入店する等して、在室者センサ２が在室者を検知した場合は、停止信号出力部４１３を介して遮蔽手段１の閉鎖動作を停止させ、次に開放信号出力部４１２を介して遮蔽手段１を開放させる（ステップ９、ステップ１０）。そして、遮蔽手段１を全開後、再度、在室者センサ２にて店舗内の在室者を検索し、Ｔ１時間継続して在室者を検知しない場合は、遮蔽手段１を閉鎖動作させる（ステップ４、ステップ５、ステップ６）。閉鎖タイマ４３２がタイムアップする迄に遮蔽手段１が閉鎖終了しなかった場合、制御手段４４は通報手段５を介して図示しない遠隔のコントロールセンターへ異常信号を送信する（ステップ１３）。
【００１４】
なお、在室者センサ２が適切な場所に設置されていなかったときには、客が在室しているにも拘らず遮蔽手段１は全閉状態になる。遮蔽手段１が全閉状態となったときには、第１タイマ４３３が起動する（ステップ１５）。この第１タイマ４３３が起動したときに在室者が、例えば、操作釦やスイッチなどで構成された開放手段６を操作したときには、制御手段４４は開放信号出力部４１２を介して遮蔽手段１の開放を行って全開状態とする（ステップ１６  ステップ１０）。
【００１５】
そして、在室者センサ２にて在室者の検索を行い、在室者がＴ１時間継続して居なくなれば、再度遮蔽手段１を閉鎖動作させる（ステップ４、ステップ５、ステップ６）。第一タイマ４３３がタイムアップすると、閉鎖手段の動作は停止し、その後は、開放手段６が操作されても閉鎖手段は開放しない（ステップ１７、ステップ１８）。
【００１６】
なお、遮蔽手段１が全閉状態になったときに、図示しない検知器による全閉信号によって開放手段６の操作方法や設置位置を音声やディスプレイ装置などで表示する表示手段を設けるようにしてもよい。各タイマ手段は店舗の状況に応じて適宜設定する可変タイプとしてもよい。
【００１７】
【発明の効果】
本発明は、遮蔽手段が全閉した後、所定時間内にあっては、例え在室者センサが故障または不適切な場所の設置により充分に機能しなくても、客が開放手段を操作しさえすれば遮蔽手段を開放することが可能となり、客の閉じ込め防止が可能となる。
【図面の簡単な説明】
【図１】本発明の基本的構成を示す機能ブロック図である。
【図２】本発明に係る閉店時における閉店フローの動作を説明したフローチャートである。
【符号の説明】
１…遮蔽手段
２…在室者センサ
３…記憶手段
４…遮蔽手段制御器
５…通報手段
６…開放手段
４１…駆動制御手段
４３…計時手段
４４…制御手段
【図１】
0003761228.tif 000002
【図２】
0003761228.tif 000003